(57)【要約】【課題】吸収性コアの中央領域の変形を抑制することができる吸収性物品に関する。【解決手段】本発明の一形態に係る吸収性物品は、吸収性コアと、コアラップシートとを具備する。上記吸収性コアは、長手方向の両端部側に位置する前方コア部及び後方コア部と、上記長手方向中間部に、一対の括れ領域の間に形成された幅狭の中間コア部とを有する。上記中間コア部は、幅方向中央に形成された高坪量部と、上記高坪量部より低い坪量を有し上記高坪量部の周囲に形成された一対の低坪量部とを含む。上記コアラップシートは、上記吸収性コアを被覆するコア被覆部と、上記一対の括れ領域を被覆する一対の括れ被覆部とを有する。【選択図】図６
2019103709.tif 000002
【特許請求の範囲】
【請求項１】
長手方向の両端部側に位置する前方コア部及び後方コア部と、前記長手方向中間部に、一対の括れ領域の間に形成された、前記前方コア部及び後方コア部よりも幅狭の中間コア部とを有し、前記中間コア部が、幅方向中央に形成された高坪量部と、前記高坪量部より低い坪量を有し前記高坪量部の周囲に形成された低坪量部とを含む、吸収性コアと、
前記吸収性コアを被覆するコア被覆部と、前記一対の括れ領域を被覆する一対の括れ被覆部とを有するコアラップシートと
を具備する吸収性物品。
【請求項２】
請求項１に記載の吸収性物品であって、
前記低坪量部は、
前記高坪量部の前記幅方向外方に位置する側端部と、
前記側端部より高い密度を有し、前記側端部と前記高坪量部との間に位置する高密度部と、を含む
吸収性物品。
【請求項３】
請求項２に記載の吸収性物品であって、
前記コアラップシート上に配置された表面シートと、
前記表面シート、前記コアラップシート及び前記吸収性コアに形成された圧搾溝と
をさらに具備し、
前記高密度部は、前記圧搾溝の形成位置に設けられる
吸収性物品。
【請求項４】
請求項１から３のうちいずれか一項に記載の吸収性物品であって、
前記一対の括れ被覆部各々の外縁線は、前記一対の括れ領域各々において前記前方コア部及び前記後方コア部の外縁部どうしを結ぶ仮想線と、前記中間コア部の外縁部に相当する外縁線とを結ぶ前記幅方向に平行な線分の二等分線よりも、前記幅方向の外方にそれぞれ位置する
吸収性物品。
【請求項５】
請求項１から４のうちいずれか一項に記載の吸収性物品であって、
前記一対の括れ被覆部は、
前記吸収性コアの厚み方向に相互に接合されることなく対向する表側領域と裏側領域とを含む
吸収性物品。
【請求項６】
請求項５に記載の吸収性物品であって、
前記表側領域及び前記裏側領域は、前記一対の括れ被覆部の前記幅方向の周縁部において相互に連続して形成される
吸収性物品。
【請求項７】
請求項１から６のうちいずれか一項に記載の吸収性物品であって、
前記前方コア部及び前記後方コア部は、前記低坪量部より低い坪量を有する
吸収性物品。
【請求項８】
請求項１から７のうちいずれか一項に記載の吸収性物品であって、
前記高坪量部は、少なくとも前記中間コア部の全長にわたって形成される
吸収性物品。
【請求項９】
請求項８に記載の吸収性物品であって、
前記高坪量部の前記長手方向端部は、先端に向かって幅が漸減する形状を有する
吸収性物品。
【請求項１０】
請求項１から９のうちいずれか一項に記載の吸収性物品であって、
前記中間コア部は、前記低坪量部より低い坪量を有し前記高坪量部の周囲に形成された周縁溝部をさらに有する
吸収性物品。
【請求項１１】
請求項１から１０のうちいずれか一項に記載の吸収性物品であって、
裏面シートと、
前記裏面シートの外表面に形成された本体粘着部と
をさらに具備し、
前記本体粘着部は、前記中間コア部の幅以下の幅を有し、前記裏面シートを挟んで前記吸収性コアと厚み方向に対向する位置に形成される
吸収性物品。
【発明の詳細な説明】
【技術分野】
【０００１】
本発明は、生理用ナプキン等の吸収性物品に関する。
【背景技術】
【０００２】
生理用ナプキン等のように、下着の内側に配して使用するタイプの吸収性物品は、経血等の液状物を吸収するための吸収体を備えている。吸収体は、前後方向に長手の吸収性コアのほか、当該吸収性コアを被覆するコアラップシートや表面シート等を有する。例えば特許文献１には、装着者の排泄領域に対向する吸収性コアの中央領域に、排泄領域に対するフィット性を高めるための突出部が設けられた吸収性物品が開示されている。
【先行技術文献】
【特許文献】
【０００３】
【特許文献１】特開２０１４−１０４０９３号公報
【発明の概要】
【発明が解決しようとする課題】
【０００４】
生理用ナプキン等の吸収性物品は、典型的には、人の股間幅よりも広い幅を有する。このため、装着時において左右外側から幅方向内方へ向かう外力が加わると、吸収性コアの中央領域に排泄領域とのフィット性が低下するような変形が生じ、液漏れが生じやすくなる。このため、外力に対する吸収性コアの中央領域の変形を抑制する技術が望まれている。
【０００５】
本発明の課題は、吸収性コアの中央領域の変形を抑制することができる吸収性物品に関する。
【課題を解決するための手段】
【０００６】
本発明の一形態に係る吸収性物品は、吸収性コアと、コアラップシートとを具備する。
上記吸収性コアは、長手方向の両端部側に位置する前方コア部及び後方コア部と、上記長手方向中間部に、一対の括れ領域の間に形成された、上記前方コア部及び後方コア部よりも幅狭の中間コア部を有する。上記中間コア部は、幅方向中央に形成された高坪量部と、上記高坪量部より低い坪量を有し上記高坪量部の周囲に形成された一対の低坪量部とを含む。
上記コアラップシートは、上記吸収性コアを被覆するコア被覆部と、上記一対の括れ領域を被覆する一対の括れ被覆部とを有する。
【発明の効果】
【０００７】
以上のように、本発明の吸収性物品によれば、吸収性コアの中央領域の変形を抑制することができる。これにより、吸収性コアの変形による液漏れの発生を防止することができる。
【図面の簡単な説明】
【０００８】
【図１】本発明の一実施形態に係る吸収性物品を示す斜視図である。
【図２】上記吸収性物品の平面図である。
【図３】図２のIII−III線で切断した断面図である。
【図４】上記吸収性物品の吸収性コアを示す平面図である。
【図５】上記吸収性物品の吸収体を模式的に示す断面図である。
【図６】上記吸収体の模式断面図である。
【図７】上記吸収体における括れ被覆部を説明する要部平面図である。
【図８】上記吸収体の他の構成例を模式的に示す断面図である。
【図９】上記吸収体の他の構成例を模式的に示す断面図である。
【図１０】上記吸収性コアにおける高坪量部の他の構成例を模式的に示す平面図である。
【図１１】上記吸収性コアにおける高坪量部のさらに他の構成例を模式的に示す平面図である。
【図１２】上記高坪量部の先端形状の他の構成例を模式的に示す平面図である。
【発明を実施するための形態】
【０００９】
以下、図面を参照しながら、本発明の実施形態を説明する。
図面には、相互に直交するＸ軸、Ｙ軸、及びＺ軸が示されている。
【００１０】
［ナプキンの全体構成］
図１は、本発明の一実施形態に係る吸収性物品１を示す斜視図である。図１では、Ｘ軸方向が前後方向、Ｙ軸方向が左右方向、Ｚ軸方向が上下方向にそれぞれ対応する。
図２は、吸収性物品１の平面図（あるいは展開図）であり、図１に示す吸収性物品１をＸＹ平面に沿って引き延ばした態様を示す。図２に示す吸収性物品１では、Ｘ軸方向が長手方向、Ｙ軸方向が幅方向、Ｚ軸方向が厚み方向に対応する。以下、図２に示す態様において吸収性物品１を説明する。
【００１１】
本実施形態の吸収性物品１は、生理用ナプキンとして構成され、以下、ナプキン１と称する。
ナプキン１は、就寝時に使用されてもよく、例えば長手方向に沿って３０ｃｍ以上の長さを有していてもよい。
【００１２】
ナプキン１は、本実施形態において、本体Ｍと、一対のウイング部Ｗと、一対のサイドガードＧと、一対の後方フラップ部Ｆと、を備える。
【００１３】
本体Ｍは、長手方向に沿って区分された、前方領域Ｍ１と、中間領域Ｍ２と、後方領域Ｍ３とを有する。
前方領域Ｍ１は、中間領域Ｍ２の前方（装着者の腹側）に配置される領域であり、装着時に装着者の排泄領域の前方側（腹部）に対向するように構成される。
中間領域Ｍ２は、装着時に排泄領域に対向するように構成される。ウイング部を有するナプキンの場合には、ウイング部の全長と重なる長手方向Ｘの領域が中間領域Ｍ２となる。ウイング部を有さないナプキンの場合には、ナプキンの全長を３等分したときの中央の領域を中間領域Ｍ２とする。なお、中間領域Ｍ２は、図示のように本体Ｍの前方寄りに位置してもよいし、本体Ｍの中央部に位置してもよい。
後方領域Ｍ３は、中間領域Ｍ２の後方側（装着者の背側）に配置される領域であり、装着時に排泄領域の後方側（臀部）に対向するように構成される。
【００１４】
ウイング部Ｗは、中間領域Ｍ２から幅方向の外側に大きく突出するように構成される。
サイドガードＧは、中間領域Ｍ２を含む本体Ｍの幅方向周縁において、長手方向に延びるように配置される。サイドガードＧは、装着中に厚み方向に起立し、幅方向の液の漏れを防止する。
後方フラップ部Ｆは、後方領域Ｍ３から幅方向の外方に膨出するように構成される。
なお、ナプキン１は、ウイング部Ｗ、サイドガードＧ、及び後方フラップ部Ｆのうちの少なくとも一つを有さなくてもよい。
【００１５】
［ナプキンの各部の構成］
図３は、図２のIII−III線で切断した断面図である。
ナプキン１は、吸収体１１と、表面シート１２と、裏面シート１３と、一対のサイドシート１４と、粘着部１５と、圧搾溝１６と、を備える。本体Ｍにおいて、ナプキン１は、裏面シート１３、吸収体１１及び表面シート１２が積層された構成を有する。
【００１６】
吸収体１１は、Ｘ軸方向に長手方向を有し、ナプキン１の厚み方向中央部に配置される。吸収体１１は、装着者の経血等の液状物（以下、「液」とも称する）を表面シート１２側の面から吸収し、内部で拡散させて当該液を保持する。
【００１７】
吸収体１１は、吸収性コア２０とコアラップシート３０とを有する。
吸収性コア２０は、液を吸収及び保持する機能を有する。吸収性コア２０は、例えば、パルプ繊維等の親水性繊維で構成された繊維集合体で形成されてもよいし、当該繊維集合体に吸水性ポリマーを保持させた構成を有していてもよい。
コアラップシート３０は、吸収性コア２０を被覆し、例えば吸収性コア２０の形状を保持する機能等を有する。コアラップシート３０は、例えばティッシュペーパーのような薄く柔らかい紙や液透過性の不織布等で形成される。
なお、吸収体１１の詳細については後述する。
【００１８】
表面シート１２は、液透過性のシート材として構成され、吸収体１１上に配置される。表面シート１２は、本体Ｍにおいてナプキン１の厚み方向上方の外面を構成する。
【００１９】
裏面シート１３は、吸収体１１を挟んで表面シート１２と厚み方向に対向して配置される。裏面シート１３は、ナプキン１の厚み方向下方の外面を構成する。裏面シート１３は、例えば周縁部において、表面シート１２及びサイドシート１４と接着剤、熱シール等によって接合される。
【００２０】
一対のサイドシート１４は、表面シート１２を挟んで幅方向に相互に対向し、ナプキン１の幅方向周縁に配置される。サイドシート１４は、サイドガードＧを構成する。サイドガードＧは、サイドガード構成部１４１と、表面シート接合部１４２と、を有する。
サイドガード構成部１４１は、本体Ｍの幅方向周縁に配置される。サイドガード構成部１４１は、幅方向外側に折り返されたサイドシート１４の折り返し部分と、表面シート接合部１４２との間に、長手方向に沿って配置された糸状弾性部材等の弾性部材１４１ａを含んで、肌面側へ起立可能に構成されている。
表面シート接合部１４２は、表面シート１２の幅方向周縁に対向する領域に配置され、サイドシート１４と表面シート１２とを厚み方向（Ｚ軸方向）に接合する。
【００２１】
粘着部１５は、ナプキン１を下着に対して固定させるための構成であり、裏面シート１３の外面に形成される。粘着部１５は、例えば、本体Ｍに設けられる本体粘着部１５１と、ウイング部Ｗに設けられるウイング粘着部１５２と、後方フラップ部Ｆに設けられる後方フラップ粘着部（不図示）と、を有する。
【００２２】
圧搾溝１６は、吸収体１１（吸収性コア２０及びコアラップシート３０）及び表面シート１２を圧搾加工することによって形成された線状溝として構成される。圧搾溝１６は、図１，２に示すように本体Ｍを周回するように構成される。圧搾溝１６により、装着時に装着者にフィットする形状への変形を誘導できるとともに、ナプキン１の幅方向及び長手方向外方への液漏れ防止効果を高めることができる。
【００２３】
次に、各部の詳細について説明する。
【００２４】
（吸収体の基本構成）
吸収体１１は、上述のように、吸収性コア２０と、コアラップシート３０とを有する。
【００２５】
図４は、吸収性コア２０の表面２０Ａを示す平面図である。
吸収性コア２０は、前方領域Ｍ１に位置する前方コア部２１と、中間領域Ｍ２に位置する中間コア部２２と、後方領域Ｍ３に位置する後方コア部２３とを有する。前方コア部２１及び後方コア部２３は、吸収性コア２０の長手方向の両端部側に位置し、中間コア部２２は、前方コア部２１と後方コア部２３との間に位置する。中間コア部２２は、前方領域Ｍ１の後方側から中間領域Ｍ２を介して後方領域Ｍ３の前方側まで及んでいる。吸収性コア２０は、幅方向において左右対称な平面形状を有する。
【００２６】
図４には、前方コア部２１、中間コア部２２、及び後方コア部２３の幅方向の寸法である幅Ｄ１，Ｄ２，Ｄ３が示されている。中間コア部２２の幅Ｄ２は、前方コア部２１の幅Ｄ１及び後方コア部２３の幅Ｄ３の双方よりも小さい。つまり、吸収性コア２０は、長手方向中間部に、一対の括れ領域２２ｓの間に形成された、前方コア部２１及び後方コア部２３よりも幅狭の中間コア部２２を有する。
【００２７】
本実施形態では、前方コア部２１の幅Ｄ１と後方コア部２３の幅Ｄ３とが同一である。しかし、前方コア部２１の幅Ｄ１と後方コア部２３の幅Ｄ３とが異なっていてもよい。また、前方コア部２１、中間コア部２２及び後方コア部２３の幅は、それぞれ均一でなくてもよい。この場合、前方コア部２１及び後方コア部２３各々の幅方向の最大寸法をそれぞれ幅Ｄ１及びＤ３とし、中間コア部２２の幅方向の最小寸法をＤ２とすることができる。
【００２８】
前方コア部２１及び後方コア部２３の幅Ｄ１，Ｄ３は、生理用ナプキンの場合、例えば、６０ｍｍ以上１００ｍｍ以下であり、好ましくは、７０ｍｍ以上９０ｍｍ以下である。
前方コア部２１及び後方コア部２３の厚みは、好ましくは、２ｍｍ以上１０ｍｍ以下、より好ましくは２．５ｍｍ以上９ｍｍ以下である。前方コア部２１及び後方コア部２３の坪量は、好ましくは、９０ｇ／ｍ２以上５００ｇ／ｍ２以下、より好ましくは１００ｇ／ｍ２以上４５０ｇ／ｍ２以下である。
なお、本実施形態のように吸収性コアが溝を有する場合には、各コア部の厚み及び坪量とは、溝部を除いた部分（即ち、ブロック部）における厚み及び坪量のことをいう。以下、特段の断りがない場合、吸収性コアにおける厚みと坪量の規定は上述と同様である。
【００２９】
中間コア部２２の幅Ｄ２は、典型的には一般的な装着者の股間幅（約３０ｍｍ）よりも大きく形成され、例えば、４０ｍｍ以上７５ｍｍ以下であり、好ましくは、５０ｍｍ以上７０ｍｍ以下である。これにより、装着者の脚等により付加される幅方向内方へ向かう外力の影響を受けにくくなるとともに、幅方向の装着位置ずれにも対応可能となり、装着者に対して安心感を与えることができる。なお、中間コア部２２の長手方向全長における幅が、テーパ部２２ａ，２２ｂを除いて、上述した範囲に入っていることが好ましい。
【００３０】
中間コア部２２の長手方向の長さは、例えば、６０ｍｍ以上１８０ｍｍ以下、好ましくは８０ｍｍ以上１７０ｍｍ以下である。これにより、長手方向の装着位置ずれ等があった場合にも、中間コア部２２を装着者の排泄領域に対向させることができる。
【００３１】
図４に示すように、中間コア部２２は、その両縁部の前端及び後端に、テーパ部２２ａ，２２ｂを有する。テーパ部２２ａ，２２ｂは、中間コア部２２の幅を前方コア部２１及び後方コア部２３に向けて増加させる。括れ領域２２ｓは、中間コア部２２の両縁部と、テーパ部２２ａ，２２ｂとの間に形成された空間部に相当する。
【００３２】
中間コア部２２は、高坪量部２４と、高坪量部２４よりも低い坪量を有する低坪量部２５とを含む。図４では、高坪量部２４を密なドットパターンで示し、低坪量部２５を粗いドットパターンで示している。
【００３３】
高坪量部２４は、中間コア部２２の幅方向中央に形成される。高坪量部２４は、ナプキン１の装着時に装着者の排泄領域に対向するように配置される。低坪量部２５は、高坪量部２４の周囲に形成される。なお、ここで「周囲」とは、少なくとも、高坪量部２４の幅方向外側を含む領域を意味する。また、低坪量部２５は、少なくともナプキン１の中間領域Ｍ２に存在することが好ましい。
高坪量部２４は、前後方向に長手の形状を有し、その最大幅は、例えば、１５ｍｍ以上６０ｍｍ以下であり、好ましくは、２０ｍｍ以上５０ｍｍ以下である。当該幅をこのような範囲とすることで、装着者の排泄領域へのフィット性を高め、かつ、十分な吸収量を確保することができる。
高坪量部２４は、低坪量部２５よりも厚く形成され（図３参照）、厚み方向上方（表面シート１２側）に突出する。これにより、高坪量部２４に対応するナプキン１の中間領域Ｍ２の中央域と装着者の排泄領域との間の良好なフィット性が確保される。
【００３４】
高坪量部２４の坪量は、例えば、４００ｇ／ｍ２以上１０００ｇ／ｍ２以下であり、好ましくは、５００ｇ／ｍ２以上９００ｇ／ｍ２以下である。
低坪量部２５の坪量は、例えば、１００ｇ／ｍ２以上７００ｇ／ｍ２以下であり、好ましくは、２００ｇ／ｍ２以上６００ｇ／ｍ２以下である。
【００３５】
高坪量部２４及び低坪量部２５の厚みは、坪量を考慮して設定することができる。
高坪量部２４のＺ軸方向の厚みは、例えば、３ｍｍ以上１５ｍｍ以下であり、好ましくは、５ｍｍ以上１３ｍｍ以下である。
低坪量部２５のＺ軸方向の厚みは、例えば、２ｍｍ以上１２ｍｍ以下、好ましくは、３ｍｍ以上１０ｍｍ以下である。
【００３６】
吸収性コアの坪量の測定方法としては、吸収性コア２０の測定対象領域を、フェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００３７】
測定対象である吸収体１１の厚みの測定は、各々の部位について坪量を測定するために切り出した小片の厚みを測定することで行う。吸収性物品より切り出した小片の測定部を５ｋＰａの圧力で１０分間加圧し、除重後すぐに測定を行う。除重後のサンプルの中央域に、大きさ２０ｍｍ×２０ｍｍ、厚み３ｍｍのアクリルプレートを吸収体３の上に置き、ＫＥＹＥＮＣＥ社製非接触式レーザー変位計（レーザーヘッドＬＫ−Ｇ３０、変位計ＬＫ−ＧＤ５００を用い、サンプルの厚みを測定する。切り出した小片の大きさが小さく、非接触式レーザー変位計により測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。
【００３８】
吸収性コア２０の表面２０Ａは、表面シート１２に対向し、周縁溝部２６、縦溝部２７、横溝部２８等を更に有する３次元形状の構造面で形成される。吸収性コア２０の裏面２０Ｂは、裏面シート１３と対向し、典型的には平坦な面で形成される。
なお、周縁溝部２６、縦溝部２７及び横溝部２８の詳細については後述する。
【００３９】
図５は、吸収体１１の単体状態における概略平面図である。図６は、吸収性コア２０とコアラップシート３０との関係を概念的に示す吸収体１１の模式図であって、図５におけるVI−VI線断面図に相当する。図７は、吸収体１１における括れ被覆部３４を説明する要部平面図である。なお図６においては、吸収性コア２０の表面２０Ａに形成される縦溝部等の図示は省略されている。
【００４０】
コアラップシート３０は、吸収性コア２０の表裏を被覆するように、吸収性コア２０の幅方向に巻き付けられる。コアラップシート３０のＸ軸方向に沿った長さは、吸収性コア２０の前後方向の長さ（全長）と同等に形成されるが、これに限られず、吸収性コア２０の全長よりも長くてもよいし短くてもよい。
【００４１】
コアラップシート３０としては、上述のように、紙、不織布等を用いることができる。
コアラップシート３０は、１枚のシート材で構成されてもよいし、複数のシート材で構成されてもよい。コアラップシート３０は、例えば所定のパターンに塗工された接着剤等によって、表面シート１２及び裏面シート１３に接合されてもよい。
【００４２】
コアラップシート３０は、図６及び図７に示すように、吸収性コア２０の各部を被覆するコア被覆部（３１〜３３）と、吸収性コア２０の一対の括れ領域２２ｓを被覆する一対の括れ被覆部３４とを有する。
コア被覆部は、前方コア部２１を被覆する前方コア被覆部３１と、中間コア部２２を被覆する中間コア被覆部３２と、後方コア部２３を被覆する後方コア被覆部３３とを含む。図５には、各々のコア被覆部３１〜３３と括れ被覆部３４との境界が一点鎖線で示される。
【００４３】
コアラップシート３０は、吸収性コア２０よりも剛性が十分に低いシート材で構成されているため、吸収性コア２０の形状に対応する形状で吸収性コア２０を被覆する。例えば、中間コア被覆部３２は、図６に示すように、中間コア部２２の表面２０Ａの隆起部（高坪量部２４）の形状に対応する形状に変形する。
【００４４】
一方、括れ被覆部３４は、前方コア部２１及び後方コア部２３の間に架け渡されることで、中間コア部２２の外縁部から括れ領域２２ｓに延出している。このため、括れ被覆部３４は、前後方向に一定の張力を付与された状態で括れ領域２２ｓに対応する形状に維持される。
【００４５】
括れ被覆部３４の内部には、図６に示すように吸収性コア２０を構成するコア材は存在しないが、吸収性コア２０の周縁から外方へ突出した繊維や、吸収性コア２０から分離したコア材の一部が部分的に存在してもよい。なお、括れ被覆部３４は、図６では、厚み方向Ｚに吸収性コアの低坪量部２５と同等の厚みを有するように描かれているが、吸収性物品内では、図３に示すように、厚み方向の空間は殆どなく、好ましくは表面領域３４１と裏面領域３４２とは接するようになっている。
【００４６】
（吸収体の典型的な作用）
以上のような構成の吸収体１１において、高坪量部２４は、低坪量部２５よりも高い剛性を有し、低坪量部２５は、括れ被覆部３４よりも高い剛性を有する。このため、中間コア部２２が属する吸収体１１の中間領域Ｍ２は、その幅方向中央から外方に向かって剛性が段階的に小さくなる複数の領域に分割される。これにより、左右外側から外力が加わった場合でも、括れ被覆部３４やこれに隣接する低坪量部２５において外力が十分に緩和されて高坪量部２４にまで伝播しにくくなるため、高坪量部２４における変形を効果的に抑制することが可能となる。
【００４７】
例えば、ナプキン１の中間領域Ｍ２は、装着者の歩行時や走行時、あるいは就寝時において、その幅方向外側にある装着者の両脚から常時、幅方向内方に向かう外力を受ける。吸収体１１は、上述のように、幅方向中央から外方に向かって剛性が段階的に低下するように構成される。このため、左右両側から外力を受けると、典型的には、一対の括れ被覆部３４が先に変形し、その後さらに低坪量部２５が変形する。これにより、吸収体１１に作用する外力が段階的に吸収あるいは緩和される。
【００４８】
特に、一対の括れ被覆部３４は、左右両側から外力を受けると、前後方向に所定の引張力を発生させ、これが外力に対する抗力（幅方向への圧縮変形抵抗）として働く。その結果、外力に対する緩衝効果が高まり、低坪量部２５の変形がより抑えられるため、高坪量部２４に伝播する外力が低減し、したがって高坪量部２４の変形が効果的に抑えられる。これにより、装着者の排泄領域に対する中間領域Ｍ２の安定したフィット性が維持されるため、ナプキン１の変形による液漏れの発生が防止される。
【００４９】
特に、ナプキン１のようにウイングＷを有する場合には、ショーツの股下部分にウイングを折り返して貼りあわせることから、着用者股間部での動きに対してナプキン１の追従性が高くなる傾向がある。そのような場合に、長手方向に関して、ウイングＷと重なるように中間コア部２２を有することは、非常に有用である。
【００５０】
外力に対する括れ被覆部３４の抗力の大きさは、前方コア部２１及び後方コア部２３の剛性、括れ被覆部３４の外縁線Ｌ１（図５参照）の長さ、括れ領域２２ｓにおける外縁線Ｌ１の位置、コアラップシート３０の剛性等に応じて、適宜設定可能である。
【００５１】
（括れ被覆部）
括れ被覆部３４の外縁線Ｌ１は、コアラップシート３０の縁部に相当する。そこで、例えば図７に示すように、一対の括れ被覆部３４各々の外縁線Ｌ１は、一対の括れ領域２２ｓ各々において前方コア部２１及び後方コア部２３の外縁部Ｐ１，Ｐ２どうしを結ぶ仮想線Ｌ２と、中間コア部２２の外縁部に相当する外縁線Ｌ３とを結ぶ幅方向に平行な線分の二等分線Ｌ４（上記幅方向に平行な線分の中点Ｍを通る外縁線Ｌ２，Ｌ３に平行な線）よりも、幅方向の外方にそれぞれ位置するように構成される。
これにより、括れ被覆部３４は、その変形を許容することができる程度の十分な幅が確保されるため、その前後に位置する前方コア部２１及び後方コア部２３の剛性を利用した括れ被覆部３４の幅方向への圧縮変形抵抗による外力の緩衝効果が高まり、高坪量部２４の変形抑制効果を高めることができる。
【００５２】
上述した効果を一層確実なものとするために、コアラップシート３０は非伸長性又は難伸長性であることが好ましい。ここで、非伸長性或いは難伸長性とは、シートに引張荷重を負荷した際の伸度が低いことを意味し、具体的には５０ｍｍ幅のシートに１Ｎ負荷した時の伸度が２５％以下であることが好ましい。
【００５３】
前方コア部２１及び後方コア部２３の外縁部Ｐ１，Ｐ２は、括れ領域２２ｓの基点となる吸収性コア２０の括れ開始点、例えば、前方コア部２１及び後方コア部２３と中間コア部２２のテーパ部２２ａ，２２ｂとの境界部に相当する。テーパ部２２ａ，２２ｂは、直線形状に限られず、括れ領域２２ｓに向かって凸なる形状の湾曲形状であってもよい。なお、テーパ部２２ａ，２２ｂは省略されてもよい。この場合、中間コア部２２は、前後方向に直角な段部を介して前方コア部２１及び後方コア部２３に接続される。
【００５４】
括れ被覆部３４の外縁線Ｌ１は、外縁部Ｐ１，Ｐ２において直線的に延在する場合に限られず、括れ開始領域において部分的に屈曲（あるいは湾曲）した領域が形成されてもよい。
括れ被覆部３４の外縁線Ｌ１は、例えば、コアラップシート３０を吸収性コア２０へ巻き付ける際におけるコアラップシート３０の幅方向（Ｙ軸方向）の張力の大きさで調整することができる。
【００５５】
一方、括れ被覆部３４による外力の緩衝効果は、括れ被覆部３４を形成するコアラップシート３０の形態によっても高めることができる。
例えば、一対の括れ被覆部３４は、図８に示すように、括れ領域２２ｓを厚み方向から挟み込む表側領域３４１及び裏側領域３４２を有する。本実施形態において、一対の括れ被覆部３４は、吸収性コア２０の厚み方向に相互に接合されることなく対向している。つまり、表側領域３４１及び裏側領域３４２は、接合材による接着や熱圧着等の手段によりそれらの内面どうしが結合されることなく厚み方向に対向している。
これにより、括れ被覆部３４の剛性が均一化されるとともに、表側領域３４１及び裏側領域３４２が互いに拘束されることなく自由な変形が可能となるため、括れ被覆部３４の全体を柔軟に変形させて、外力に対する緩衝効果を高めることができる。
【００５６】
さらに本実施形態において、表側領域３４１及び裏側領域３４２は、一対の括れ被覆部３４の幅方向の周縁部（外縁）において相互に連続して形成される。つまり、表側領域３４１及び裏側領域３４２は、括れ領域２２で折り返された共通のシート材で構成される。
これにより、括れ被覆部３４全体の剛性が高まるため、外力に対する緩衝効果が高められる。
【００５７】
（低坪量部）
低坪量部２５の外力緩衝効果をさらに高めるため、低坪量部２５には、密度の異なる複数の領域が設けられてもよい。図８は、このような構造の低坪量部２５を有する吸収体１１Ａの概略断面図である。
【００５８】
図８に示すように、吸収性コア２０において、低坪量部２５は、側端部２５１と、高密度部２５２とを含む。側端部２５１は、高坪量部２４の幅方向外方に位置する。高密度部２５２は、側端部２５１より高い密度を有し、側端部２５１と高坪量部２４との間に位置する。高密度部２５２は、高坪量部２４よりも低い坪量を有するため、中間コア部２２は、側端部２５１、高密度部２５２及び高坪量部２４の順で剛性が高くなる。
このように低坪量部２５の剛性を側端部２５１から高坪量部２４に向かって徐々に高めることで、高坪量部２４からより遠い領域から確実に変形させことができる。つまり、外力を受けたときに、低坪量部２５の全域が同時に変形するのを回避することができる。これにより、高坪量部２４の変形防止効果をさらに高めることができる。
【００５９】
低坪量部２５に高密度部２５２を設ける方法は特に限定されず、例えば、側端部２５１よりも坪量を大きくしたり、側端部２５１と高坪量部２４との間の領域を厚み方向に圧縮したりすることで、高密度部２５２を形成することができる。高密度部２５２は、高坪量部２４に隣接して設けられる必要はなく、これらの間に高密度部２５２よりも低密度な領域が介在していてもよい。
【００６０】
また、吸収性コア２０には、表面シート１２及びコアラップシート３０と一体に、高密度部２５２と平面視重なるように圧搾溝１６を設けることもできる。図９は、圧搾溝１６が高密度部に設けられた吸収体の断面図を示す。図９の吸収体では、低坪量部２５は、側端部２５１と、該側端部２５１よりも密度が高い第１高密度部２５３及び第２高密度部２５４とを有する。第１高密度部２５３は、側端部２５１と高坪量部２４との間に形成される。第２高密度部２５４は、第１高密度部２５３と高坪量部２４との間に形成される。図９の形態では、第１高密度部２５３は、第２高密度部２５４よりも密度が高くなっている。また、側端部２５１及び第２高密度部２５４よりも厚みが小さい。
なお、第１高密度部２５３は、本体Ｍ上の圧搾溝１６の形成位置に対応する位置に設けられてもよい（図３参照）。これにより、圧搾溝１６の形成と同時に、低坪量部２５に高密度部２５３を形成することができる。
【００６１】
（高坪量部の形状）
中間コア部２２は、装着者の排泄領域に対向するナプキン１の中間領域Ｍ２を構成するため、幅方向内方に向かう外力が最も大きい。そこで本実施形態では、高坪量部２４が少なくとも中間コア部２２の全長にわたって形成される（図４参照）。
これにより、ナプキン１の装着時において、高坪量部２４と排泄領域との間の良好なフィット感を確保することができる。
また、高坪量部２４よりも坪量が低い低坪量領域（低坪量部２５）が中間コア部２２の幅方向全域にわたって存在する状態が回避されるため、中間コア部２２の全領域にわたって上述したような幅方向の剛性差に基づく高坪量部２４の変形抑制効果を確保することができる。
【００６２】
図１０Ａ，Ｂに示すように、高坪量部２４の全長は、中間コア部２２の全長よりも大きくてもよい。これにより、中間コア部２２の全領域にわたる幅方向の剛性差を安定に確保することができる。また、ナプキン１の装着時において中間領域Ｍ２と排泄領域との間の前後方向の位置ずれが生じても、高坪量部２４と排泄領域との間の良好なフィット感を確保することができる。
【００６３】
ここで、図１０Ａ，Ｂの例では、高坪量部２４の前端部２４１及び後端部２４２をそれぞれ前方コア部２１及び後方コア部２３に延出させたが、これに限らず、前端部２４１及び後端部２４２の一方のみを前方コア部２１あるいは後方コア部２３に延出させてもよい。
一方、低坪量部２５の全長は、図１０Ａに示すように中間コア部２２の全長と同一であってもよいし、図１０Ｂに示すように、高坪量部２４の全長に合わせて拡張してもよい。
【００６４】
また、図１１Ａ，Ｂに示すように、高坪量部２４が全体的に前方コア部２１側あるいは後方コア部２２側に偏って形成されてもよい。高坪量部２４が中間コア部２２の全長と同等以上の全長を有するため、ナプキン１の装着時において、高坪量部２４と排泄領域との間の良好なフィット感を確保することができる。
【００６５】
図１０、１１の各実施形態のように、高坪量部２４が、中間コア部２２から前方コア部２１、後方コア部２３の少なくとも一方に延出する場合には、その延出部分の長手方向の長さが、前方コア部２１においては、前方コア部２１の長さの３０％以下、更には２０％以下であることが、後方コア部２３においては、後方コア部２３の長さの２０％以下、更には１０％以下であることが、良好な着用感とフィット感を得る上で好ましい。
【００６６】
さらに本実施形態においては、高坪量部２４の長手方向端部（前端部２４１及び後端部２４２）は、先端に向かって幅が漸減する形状を有する（図４参照）。
前端部２４１及び後端部２４２が前方コア部２１及び後方コア部２３に接近する結果、これら各端部２４１，２４２が幅方向だけでなく、長手方向あるいはこれに交差する方向から外力を受け易くなったとしても、先端を先細り形状にすることで、外力を効果的に逃がすことができる。これにより、高坪量部２４の変形を招きにくくすることができる。
【００６７】
前端部２４１及び後端部２４２は、典型的には、概ね半円形状とされるが（図４参照）、図１２Ａ〜Ｃに模式的に示すように、三角形状、台形状、あるいは円弧と直線との組み合わせ形状等、面内に作用する外力を分散できる形状であれば、特に限定されない。
高坪量部２４の変形防止効果としては、例えば、前端部２４１及び後端部２４２が半円形状（図４）あるいは三角形状（図１２Ａ）の場合がより好ましい。
【００６８】
（中間コア部の剛性と前方及び後方コア部の剛性との関係）
吸収性コア２０は、上述のように、前方コア部２１と、中間コア部２２と、後方コア部２３とを有する。前方コア部２１及び後方コア部２３の坪量は特に限定されないが、本実施形態では、前方コア部２１及び後方コア部２３は、低坪量部２５より低い坪量を有する。
これにより、前方コア部２１及び後方コア部２３よりも中間コア部２２の剛性が高められるため、前方コア部２１及び後方コア部２３の変形等による影響を受けにくくなり、中間コア部２２の形状や姿勢を安定に保持することができる。
【００６９】
また、中間コア部２２よりも前方コア部２１及び後方コア部２３の方が低剛性で変形し易いため、ナプキン１に前後方向から加わる外力を前方コア部２１及び後方コア部２３において緩衝して、排泄領域に対向する中間領域Ｍ２（中間コア部２２）の変形を抑制することができる。
【００７０】
特に、後方コア部２３が比較的大面積で構成される本実施形態のナプキン１においては、後方コア部２３の挙動が中間コア部２２の姿勢へ与える影響が大きい。このため、中間コア部２２を後方コア部２３よりも高い剛性で構成することは、就寝時等における中間コア部２２の安定した装着性を確保する上で、非常に有利となる。
【００７１】
なお、図１０及び図１１のように、高坪量部２４が前方コア部２１又は後方コア部２３にまで延在するケースでは、低坪量部２５の坪量と、前方コア部２１又は後方２ア部４２の坪量とを、以下のように対比する。
高坪量部２４が前方コア部２１にまで延在するケースでは、高坪量部２４の前端部２４１を境界として、前端部２４１よりも前方の領域の坪量を前方コア部２１の坪量と定義し、この坪量を低坪量部２５の坪量と対比する。同様に、高坪量部２４が後方コア部２３にまで延在するケースでは、高坪量部２４の後端部２４２を境界として、後端部２４２よりも後方の領域の坪量を後方コア部２３の坪量と定義し、この坪量を低坪量部２５の坪量と対比する。
【００７２】
（周縁溝部）
中間コア部２２には、上述のように、周縁溝部２６、縦溝部２７及び横溝部２８が設けられる。
【００７３】
周縁溝部２６は、高坪量部２４の少なくとも長手方向の周囲を囲むように、高坪量部２４と低坪量部２５の間に形成される（図４参照）。
本実施形態において、周縁溝部２６は、高坪量部２４の外縁に沿って形成されている。周縁溝部２６は、低坪量部２５よりも低い坪量で形成される。これにより、高坪量部２４の周囲の変形が周縁溝部２６に吸収されるため、低坪量部２５の変形が高坪量部２４に伝わりにくくなり、したがって高坪量部２４が周囲の変形の影響を受けにくく、変形抑制効果を確保することができる。
【００７４】
縦溝部２７は、吸収性コア２０の長手方向に沿って延び、幅方向に沿って間隔をあけて配列されている（図４参照）。縦溝部２７は、前方コア部２１、中間コア部２２及び後方コア部２３のそれぞれに、長手方向のほぼ全長にわたって形成されている。中間コア部２２に関しては、縦溝部２７は高坪量部２４の中心を通るように形成される。
横溝部２８は、吸収性コア２０の幅方向に沿って延び、長手方向に沿って間隔をあけて配列されている（図４参照）。横溝部２８は、前方コア部２１、中間コア部２２及び後方コア部２３のそれぞれに、幅方向の全長にわたって形成されている。
低坪量で変形しやすい縦溝部２７及び横溝部２８を設けることで、吸収性コア２０の柔軟性を高めて、装着性の向上を図ることができる。また、縦溝部２７及び横溝部２８の内部に液を引き込むことで吸収性コア２０の液吸収速度を高めることができる。
【００７５】
中間コア部２２に設けられる横溝部２８は、周縁溝部２６と同様に、外力の伝播を抑制する機能をもたせることができる。つまり、横溝部２８と周縁溝部２６とに低坪量部２５が複数のブロックに区画され、ブロック単位で変形領域を閉じ込める一定の効果が得られる。これにより、高坪量部２４の変形防止効果をさらに高めることができる。
縦溝部２７及び横溝部２８はそれぞれ同一の幅、深さで形成されるが、勿論これに限られない。例えば、吸収性コア２０の裏面２０Ｂを基準面とした縦溝部２７及び横溝部２８の底部の高さは、例えば、上記基準面からの周縁溝部２６の底部の高さと同一に設定される（図３参照）。
【００７６】
周縁溝部２６、縦溝部２７及び横溝部２８の幅は、好ましくは、０．５ｍｍ以上１０ｍｍ以下であり、より好ましくは、１ｍｍ以上５ｍｍ以下である。周縁溝部２６の深さは、例えば、０．５ｍｍ以上１０ｍｍ以下であり、縦溝部２７及び横溝部２８の深さは、例えば、０．５ｍｍ以上１０ｍｍ以下である。
【００７７】
なお、中間コア部２２において、縦溝部２７は、周縁溝部２６よりも幅が太くても良い。その場合には、着用中に排泄部に沿って吸収性コアが変形し易くなるとともに、排泄された体液が長手方向に沿って拡散され易くなるという特長がある。縦溝部２７は周縁溝部２６よりも０．５ｍｍ以上５ｍｍ以下大きいことが好ましく、１ｍｍ以上３ｍｍ以下大きいことがより好ましい。
【００７８】
（本体粘着部）
高坪量部２４の変形をさらに効果的に防止するため、ナプキン１の本体Ｍに設けられる本体粘着部１５１は、図４に示したように、中間コア部２２の幅以下の幅を有し、裏面シート１３を挟んで吸収性コア２０と厚み方向に対向する位置に形成されるのが好ましい。
このように、括れ被覆部３４の直下に本体粘着部１５１が塗工されないようにすることで、下着の種類（下着の生地の剛性）によらず、外力作用時において括れ被覆部３４を任意の形状に変形させることができ、これにより、中間コア部２２の幅方向において所望とする３段階の剛性差の効果を確実に発揮させることができる。
【００７９】
本体粘着部１５１の塗工形態は特に限定されず、単一の塗工膜で構成されてもよいし、長手方向に平行な複数列の塗工膜で構成されてもよい。粘着部１５を構成する粘着剤層は、例えば、ホットメルト粘着剤等で形成することができる。粘着剤層を形成するために利用可能なホットメルト粘着剤としては、例えば、ゴム系、オレフィン系、エチレン酢酸ビニル（ＥＶＡ）系等が挙げられる。各粘着剤層において、ホットメルト粘着剤は、連続的に塗工されていても、間欠的に塗工されていてもよい。
本体粘着部１５１は、ナプキン１の未使用状態では、剥離シート（図示略）で被覆される。上記剥離シートは、各粘着部に対して剥離可能に貼り付けられ、ナプキン１の使用時に剥離される。
【００８０】
以上、本発明の各実施形態について説明したが、本発明は上述の実施形態にのみ限定されるものではなく、本発明の要旨を逸脱しない範囲内において種々変更を加え得ることは勿論である。
【００８１】
例えば以上の実施形態では、吸収性物品として生理用ナプキンの例を示したが、これに限定されない。本発明の吸収性物品は、例えば、失禁パットやおりものシート等であってもよい。
【００８２】
さらに、高坪量部は、端部において幅が漸減する構成に限定されず、全体が略同一の幅で構成されてもよい。
あるいは、括れ被覆部の表側領域及び裏側領域は、相互に接合されていてもよいし、分断されていてもよい。
あるいは、吸収性コアは、周縁溝部、縦溝部及び横溝部のうち少なくとも一つを有していなくてもよい。
【００８３】
上述した実施形態に関し、本発明はさらに以下の吸収性物品を開示する。
【００８４】
＜１＞  長手方向の両端部側に位置する前方コア部及び後方コア部と、前記長手方向中間部に、一対の括れ領域の間に形成された、前記前方コア部及び後方コア部よりも幅狭の中間コア部とを有し、前記中間コア部が、幅方向中央に形成された高坪量部と、前記高坪量部より低い坪量を有し前記高坪量部の周囲に形成された低坪量部とを含む、吸収性コアと、前記吸収性コアを被覆するコア被覆部と、前記一対の括れ領域を被覆する一対の括れ被覆部とを有するコアラップシートと、を具備する吸収性物品。
＜２＞  前記＜１＞に記載の吸収性物品であって、前記低坪量部は、前記高坪量部の前記幅方向外方に位置する側端部と、前記側端部より高い密度を有し、前記側端部と前記高坪量部との間に位置する高密度部と、を含む、吸収性物品。
＜３＞  前記＜２＞に記載の吸収性物品であって、前記コアラップシート上に配置された表面シートと、前記表面シート、前記コアラップシート及び前記吸収性コアに形成された圧搾溝とをさらに具備し、前記高密度部は、前記圧搾溝の形成位置に設けられる、吸収性物品。
＜４＞  前記＜１＞〜＜３＞のうちいずれか１に記載の吸収性物品であって、前記一対の括れ被覆部各々の外縁線は、前記一対の括れ領域各々において前記前方コア部及び前記後方コア部の外縁部どうしを結ぶ仮想線と、前記中間コア部の外縁部に相当する外縁線とを結ぶ前記幅方向に平行な線分の二等分線よりも、前記幅方向の外方にそれぞれ位置する、吸収性物品。
＜５＞  前記＜１＞〜＜４＞のうちいずれか１に記載の吸収性物品であって、前記一対の括れ被覆部は、前記吸収性コアの厚み方向に相互に接合されることなく対向する表側領域と裏側領域とを含む、吸収性物品。
＜６＞  前記＜５＞に記載の吸収性物品であって、前記表側領域及び前記裏側領域は、前記一対の括れ被覆部の前記幅方向の周縁部において相互に連続して形成される、吸収性物品。
＜７＞  前記＜１＞〜＜６＞のうちいずれか１に記載の吸収性物品であって、前記前方コア部及び前記後方コア部は、前記低坪量部より低い坪量を有する、吸収性物品。
＜８＞  前記＜１＞〜＜７＞のうちいずれか１に記載の吸収性物品であって、前記高坪量部は、少なくとも前記中間コア部の全長にわたって形成される、吸収性物品。
＜９＞  前記＜８＞に記載の吸収性物品であって、前記高坪量部の前記長手方向端部は、先端に向かって幅が漸減する形状を有する、吸収性物品。
＜１０＞  前記＜１＞〜＜９＞のうちいずれか１に記載の吸収性物品であって、前記中間コア部は、前記低坪量部より低い坪量を有し前記高坪量部の周囲に形成された周縁溝部をさらに有する、吸収性物品。
＜１１＞  前記＜１＞〜＜１０＞のうちいずれか１に記載の吸収性物品であって、裏面シートと、前記裏面シートの外表面に形成された本体粘着部とをさらに具備し、前記本体粘着部は、前記中間コア部の幅以下の幅を有し、前記裏面シートを挟んで前記吸収性コアと厚み方向に対向する位置に形成される、吸収性物品。
＜１２＞  前記＜１＞〜＜１１＞のうちいずれか１に記載の吸収性物品であって、前記中間コア部から幅方向外方へ延出する一対のウイング部を備えている、吸収性物品。
＜１３＞  前記＜１２＞に記載の吸収性物品であって、前記ウイング部と前記中間コア部とが前記長手方向に関して重なる、吸収性物品。
＜１４＞  前記＜１＞〜＜１３＞のうちいずれか１に記載の吸収性物品であって、前記コアラップシートが非伸長性又は難伸長性である、吸収性物品。
＜１５＞  前記＜１４＞に記載の吸収性物品であって、前記コアラップシートが、５０ｍｍ幅当たり１Ｎ負荷した時の伸度が２５％以下である、吸収性物品。
＜１６＞  前記＜１＞〜＜１５＞のうち何れか１に記載の吸収性物品であって、前記高坪量部が前方コア部及び後方コア部の少なくとも一方まで延在している、吸収性物品。
＜１７＞  前記＜１＞〜＜１６＞のうち何れか１に記載の吸収性物品であって、前記高坪量部は、前後方向に長手の形状を有し、その最大幅は、１５ｍｍ以上、６０ｍｍ以下であり、好ましくは、２０ｍｍ以上、５０ｍｍ以下である、吸収性物品。
＜１８＞  前記＜１＞〜＜１７＞のうちいずれか１に記載の吸収性物品であって、前記高坪量部の坪量は、４００ｇ／ｍ２以上１０００ｇ／ｍ２以下であり、好ましくは５００ｇ／ｍ２以上９００ｇ／ｍ２以下である、吸収性物品。
＜１９＞  前記＜１＞〜＜１８＞のうちいずれか１に記載の吸収性物品であって、前記低坪量部の坪量は、１００ｇ／ｍ２以上７００ｇ／ｍ２以下であり、好ましくは２００ｇ／ｍ２以上６００ｇ／ｍ２以下である、吸収性物品。
＜２０＞  前記＜１＞〜＜１９＞のうちいずれか１に記載の吸収性物品であって、前記前方コア部及び前記後方コア部の幅が、６０ｍｍ以上１００ｍｍ以下であり、好ましくは７０ｍｍ以上９０ｍｍ以下である、吸収性物品。
＜２１＞  前記＜１＞〜＜２０＞のうちいずれか１に記載の吸収性物品であって、前記前方コア部及び後方コア部の厚みは、２ｍｍ以上１０ｍｍ以下である、吸収性物品。
＜２２＞  前記＜１＞〜＜２２＞のうちいずれか１に記載の吸収性物品であって、前記前方コア部及び前記後方コア部の坪量は、９０ｇ／ｍ２以上５００ｇ／ｍ２以下である、吸収性物品。
＜２３＞  前記＜１＞〜＜２３＞のうちいずれか１に記載の吸収性物品であって、前記中間コア部の幅は、４０ｍｍ以上７５ｍｍ以下であり、好ましくは５０ｍｍ以上７０ｍｍ以下である、吸収性物品。
＜２４＞  前記＜１＞〜＜２４＞のうちいずれか１に記載の吸収性物品であって、前記中間コア部の長手方向の長さは、６０ｍｍ以上１８０ｍｍ以下、好ましくは８０ｍｍ以上１７０ｍｍ以下である、吸収性物品。
＜２５＞  生理用ナプキンである、前記＜１＞〜＜２４＞のうちいずれか１に記載の吸収性物品。
【符号の説明】
【００８５】
１…ナプキン（吸収性物品）
１１，１１Ａ，１１Ｂ…吸収体
１２…表面シート
１３…裏面シート
１５…粘着部
１５１…本体粘着部
１６…圧搾溝
２０…吸収性コア
２１…前方コア部
２２…中間コア部
２２ｓ…括れ領域
２３…後方コア部
２４…高坪量部
２４１，２４２…端部
２５…低坪量部
２５１…側端部
２５２…高密度部
２５３…第１高密度部
２５４…第２高密度部
２６…周縁溝部
２２ａ，２２ｂ…テーパ部
３０…コアラップシート
３１…前方被覆部
３２…中間被覆部
３３…後方被覆部
３４…括れ被覆部
３４１…表側領域
３４２…裏側領域
【図１】
2019103709.tif 000003
【図２】
2019103709.tif 000004
【図３】
2019103709.tif 000005
【図４】
2019103709.tif 000006
【図５】
2019103709.tif 000007
【図６】
2019103709.tif 000008
【図７】
2019103709.tif 000009
【図８】
2019103709.tif 000010
【図９】
2019103709.tif 000011
【図１０】
2019103709.tif 000012
【図１１】
2019103709.tif 000013
【図１２】
2019103709.tif 000014